(57)【要約】受信者ベースの位置情報のスコーピングのための方法（５０）及びシステム（１０）は、通信ネットワーク内の通信装置（１２，１４，又は１６）と、通信ネットワークに接続されたプロセッサ（２２，２８，又は３２）と、を含む。プロセッサは、１より多くの粒度のレベルを有する位置情報を取得又は受信し（５２）、かつ、選択呼出レシーバ（１４）における受信者（３９）の位置関連特性に基づき、通信装置における位置情報の粒度のレベルを自動的に調整する（５４）ようにプログラムされている。
2008522549.tif 000002
【特許請求の範囲】
【請求項１】
受信者ベースの位置情報のスコーピングの方法であって、
１つ以上の受信者特性と、その位置に対する関係とに基づき、位置に関連する情報を動的にスコーピングする動的スコーピング工程と、動的スコーピング工程は位置に関連する情報に含まれる位置説明を選択する工程を含むことと、からなる方法。
【請求項２】
動的スコーピング工程は、送信装置、受信装置、及び中間装置のうちの１つにて生じる位置に関連する情報をスコーピングする工程を含む請求項１に記載の方法。
【請求項３】
１つ以上の受信者特性は先験的に記憶された受信者装置の選択呼出アドレス及び受信者の連絡情報から選択される請求項１に記載の方法。
【請求項４】
１つ以上の受信者特性は、受信者によって記憶された目標物を含むユーザ情報、ユーザのズーム情報の履歴、受信者の現在の位置、受信者の以前の位置、送信者による手動の選択、及び受信者による手動の選択のうちから選択される請求項１に記載の方法。
【請求項５】
スコーピング工程は、ａ）絶対位置を受信し、受信装置における資源を用いて説明を選択すること、ｂ）絶対位置と、説明における送信者の最良の推測とを受信し、送信者の推測又は代替の説明を選択すること、及び、ｃ）説明のリストを受信し、リストのうちの説明を選択すること、のうちの１つ以上を実行することによって受信装置によりスコーピングする工程を含む請求項１に記載の方法。
【請求項６】
受信者ベースの位置情報のスコーピングのためのシステムであって、
通信ネットワーク内の通信装置と、
通信ネットワークに接続されたプロセッサと、プロセッサは、１より多くの粒度のレベルを有する位置情報を取得し、かつ、選択呼出レシーバにおける受信者の１つ以上の位置関連特性に基づき通信装置における位置情報の粒度のレベルを自動的に調整するように、プログラムされていることと、からなるシステム。
【請求項７】
通信装置は、位置情報を有し、かつ、受信者についての情報を知っている発信装置と、受信者の選択呼出レシーバとのうちの一方である請求項６に記載のシステム。
【請求項８】
プロセッサは、選択呼出レシーバが自身について有する情報に基づき、選択呼出レシーバが位置情報のスコープを選択することを可能とするようにプログラムされていることを含む請求項６に記載のシステム。
【請求項９】
通信装置は、選択呼出レシーバにおける受信者について知られている情報に基づき選択呼出レシーバへ送信されるように、サーバにおける位置情報の粒度のレベルを自動的に調整する通信ネットワーク上のサーバである請求項６に記載のシステム。
【請求項１０】
プロセッサは、位置情報を含むメッセージの宛先アドレス、選択呼出レシーバの現在の位置、選択呼出レシーバの以前の位置、位置情報を有する連絡リストによる連絡情報、選択呼出レシーバに記憶されたパーソナライズされた目標物を有するユーザ情報、ズーム情報の履歴、及びユーザ定義命令のうちの、受信者の任意の位置関連特性に基づき、位置情報の粒度のレベルを自動的に調整する請求項６に記載のシステム。
【発明の詳細な説明】
【技術分野】
【０００１】
本発明は通信システムに関し、より詳細には、受信者に関連する情報に基づきデータをスコーピングするための方法及びシステムに関する。
【背景技術】
【０００２】
現在、他の人々に迅速かつ容易に（例えば、単一のボタンの押下によって）状態メッセージを送信する性能を備えた電話機についての要求が存在する。それらの状態メッセージのうちの一部は、メッセージの受信者に送信者の状態及びその現在位置の両方を知らせるための位置固有情報を含む。例えば、あるメッセージは、「ジョニーは大丈夫、ソーグラス・ミルズ（Ｓａｗｇｒａｓｓ  Ｍｉｌｌｓ）・モールにて」と読まれる。この情報は、ソーグラス・ミルズ・モールが世界のどこに位置するかに関する位置知識を有する者にとっては有用であり得るが、ソーグラス・ミルズ・モールをよく知らない人は、この位置はどこに存在するかと訝る場合がある。換言すると、位置情報のスコープによって、送信者にローカルでありそうな所定の地域をよく知らない受信者には問題が生じる。受信者がソーグラス・ミルズ・モールの特定の地域及び位置を知らない限り、その受信者には、この位置情報はほとんど又は全く意味を有しない。また熟知による問題にかかわらず、受信者が送信者から遠ざかるほど、受信者が送信者の位置情報の詳細について注意する見込みは少なくなる。反対に、受信者がソーグラス・ミルズ・モールの特定の地域及び位置を知っているときには、より特定的なこの位置の説明を用いる方が、より有益である。
【０００３】
既存の装置又はシステムには、位置に関する受信者の熟知についての先験的な知識若しくは詳細情報に対する受信者の所望についての先験的な知識又はその両方と互換的な位置の説明を自動的に選択するものは知られていない。ＭａｇｅｌｌａｎによるＲｏａｄＭａｔｅ５００など、一部のＣＤ又はＤＶＤベースの車両ナビゲーションシステムは、曲がり角毎に案内を提供し、曲がり角毎に音声が提示される。この音声プロンプトは運転者に曲がるときを伝える。さらに、ＲｏａｄＭａｔｅ５００は高度な関心点（ＰＯＩ；ｐｏｉｎｔ  ｏｆ  ｉｎｔｅｒｅｓｔ）データベースを備える。ＰＯＩデータベースは、企業、銀行、ホテル、空港、ガソリンスタンド、ＡＴＭ及びレストランを含め、ダウンロードされた領域の包括的なリストを提供する。また、この点に関して、ＲｏａｄＭａｔｅは、詳細マップ上でズームイン又はズームアウトを可能とする「マップビュー（ＭａｐＶｉｅｗ）」と呼ばれる機能も提供するが、これは受信者の位置関連情報に基づく自動的又は動的なものではない。Ｐａｎａｓｏｎｉｃによる別の車両ナビゲーションシステム（品番：ＤＶ２３００ＶＭ５８０５）は、ユーザが郵便番号を入力し、その選択肢を迅速に狭めることを可能とし、さらに自動的な交差点ズーム表示を提供する。自動的な交差点ズーム機能はＧＰＳ衛星からの位置情報に関する知識に基づくものであり得るが、この「自動的な」ズーム機能は、ユーザの選択呼出アドレス又は装置に記憶され得る他の位置情報に関する先験的な知識に基づくものではない。交差点ズームは、特定の位置についてのユーザの熟知に基づき動的に行われるのではなく、ＧＰＳ座標に関する知識に基づく車両の現在位置に基づき静的に行われる。上述の装置はいずれも、選択呼出アドレス又はユーザの通信装置又はシステムの使用から抽出される、（通信装置、又は通信装置と通信状態にあるリモート装置にて）利用可能な他の位置関連情報によって決定される特定の位置についてのユーザの熟知を利用しない。さらに、ＧＰＳ装置はアドレス化された装置、即ち、ページャ又はセルラー電話機など選択呼出アドレスを有する通信装置ではない。多くの車両が内蔵のナビゲーションシステム及びセルラー電話機システムの両方を提供する場合にも、ナビゲーションシステム上のマッピング機能をさらに強化するために、セルラー電話機からの位置関連情報を利用していない。
【発明の開示】
【発明が解決しようとする課題】
【０００４】
本発明による実施形態は、受信者に関連する情報に基づき受信者にとって有益かつ重要そうなレベルまで位置情報をスコーピングするための手段を提供することが可能である。迅速な一例として、カリフォルニア州の受信者は、フロリダ州の送信者によって送信されているフロリダ州の特定のローカル情報を知っていることはなさそうであるが、より特定的でなく、より有益かつ有用な情報を見出すことはあるだろう。カリフォルニア州の者には、「ジョニーは大丈夫、フロリダ州地域、フォート・ローダーデ−ルにて」と読める状態メッセージは、「ジョニーは大丈夫、ソーグラス・ミルズ・モールにて」と読めるメッセージ送信より有効であろう。位置情報のスコープは様々なレベルにて受信者に利用可能であり得るが、本発明による実施形態は、送信者と受信者との間の相対距離を用いて、受信者が最初に見る情報のスコープのレベルを決定することが可能である。なお、一部の状況では、カリフォルニア州における受信者はフロリダ州の地理をよく知っている。例えば、受信者がカリフォルニア州を旅行しているフロリダ州居住者の場合である。代替の実施形態は、位置説明のスコープを決定するために受信者の電話番号の市外局番など他の受信者情報を用いることによって、これを補償することが可能である。
【課題を解決するための手段】
【０００５】
本発明の第１の実施形態では、受信者ベースの位置情報のスコーピングの方法は、１つ以上の受信者特性と、その位置に対する関係とに基づき、位置に関連する情報を動的にスコーピングする工程を含み得る。動的にスコーピングする工程は、位置に関連する情報に含まれる位置説明を自動的に選択又は選ぶ工程を含み得る。なお、動的にスコーピングする工程は、送信装置、受信装置、及び中間装置のうちの１つにて位置に関連する情報をスコーピングする工程を含み得る。また、受信者特性は受信者の選択呼出アドレスであってもよく、或いは、受信者の現在の位置、受信者の以前の位置、受信者の連絡情報、ユーザによって記憶されたパーソナライズされた目標物を含むユーザ情報、ユーザのズーム情報の履歴、送信者による手動の選択、及び受信者による手動の選択のうちのいずれであってもよい。また、スコーピングする工程は、ａ）絶対位置を受信し、受信装置における資源を用いて説明を選択すること、ｂ）絶対位置を受信し、送信者の最良の推測を用いて説明を選択すること、及び、ｃ）説明のリストを受信し、リストのうちの説明を選択すること、のうちの１つ以上を実行することによって受信装置によりスコーピングする工程を含み得る。
【０００６】
本発明の第２の実施形態では、受信者ベースの位置情報のスコーピングの方法は、選択呼出レシーバにおける受信者の１つ以上の位置関連特性に基づき、位置情報を自動的にスコーピングする工程又は位置情報の粒度のレベルを調整する工程と、選択呼出レシーバにて位置情報を受信する工程と、を含み得る。なお、位置情報は１より多くの粒度のレベルを有し得る。粒度のレベルを調整する工程は、位置情報を含むメッセージの宛先アドレス、選択呼出レシーバの現在の位置、選択呼出レシーバの以前の位置のうちの１つ以上に、及びユーザ定義命令に基づき、粒度のレベルを調整する工程が含まれ得る。調整する工程は、さらに、選択呼出レシーバの使用法から抽出されるユーザ情報に基づき、位置情報の粒度のレベルを調整する工程を含み得る。また、調整する工程は、位置情報を含むメッセージの送信者に選択呼出レシーバが近付いていると判定されるとき、より多くの粒度を提供する工程と、位置情報を含むメッセージの送信者から選択呼出レシーバが遠ざかっていると判定されるとき、より少ない粒度を提供する工程と、を含み得る。さらに、この方法は、自動的に調整された粒度のレベルにより位置情報を表示する工程を含み得る。
【０００７】
本発明の第３の実施形態では、受信者ベースの位置情報のスコーピングのためのシステムは、通信ネットワーク内の通信装置と、通信ネットワークに接続されたプロセッサと、を含み得る。プロセッサは、１より多くの粒度のレベルを有する位置情報を取得し、かつ、選択呼出レシーバにおける受信者の位置関連特性に基づき通信装置における位置情報の粒度のレベルを自動的に調整するように、プログラムされ得る。通信装置は、位置情報を有し、かつ、受信者についての情報を知っている発信装置であってもよく、受信者の選択呼出レシーバであってもよい。さらに、プロセッサは、受信者が位置情報のスコープを選択することを可能とするように、或いは、選択呼出レシーバが自身について有する情報に基づき、選択呼出レシーバが位置情報のスコープを選択することを可能とするように、プログラムされ得る。別の代替案では、通信装置は、選択呼出レシーバにおける受信者について知られている情報に基づき選択呼出レシーバへ送信されるように、サーバにおける位置情報の粒度のレベルを自動的に調整する通信ネットワーク上のサーバであり得る。また、プロセッサは、位置情報を含むメッセージの宛先アドレス、選択呼出レシーバの現在の位置、選択呼出レシーバの通常の位置のうちのいずれかに、及びユーザ定義命令に基づき、位置情報の粒度のレベルを調整することによって自動的に調整し得る。また、プロセッサは、選択呼出レシーバの使用法から抽出されるユーザ情報に基づき、位置情報の粒度のレベルを調整することによって自動的に調整し得る。また、プロセッサは、位置情報を含むメッセージの送信者に選択呼出レシーバが近付いていると判定されるとき、より多くの粒度を提供し、位置情報を含むメッセージの送信者から選択呼出レシーバが遠ざかっていると判定されるとき、より少ない粒度を提供することによって自動的に調整し得る。さらに、プロセッサは、選択呼出レシーバにおいて自動的に調整された粒度のレベルにより位置情報を表示するように、プログラムされ得る。
【０００８】
他の実施形態は、本明細書に開示の発明構成に従って構成されたとき、本明細書に開示の様々なプロセス及び方法を実行するためのシステムと、本明細書に開示の様々なプロセス及び方法を機械に実行させるための機械可読記憶装置を含み得る。
【発明を実施するための最良の形態】
【０００９】
図１を参照すると、位置情報のスコーピングに基づく受信者用の本発明の一実施形態によるシステム１０のブロック図が示されている。システム１０は、通信ネットワーク内の通信装置と、通信ネットワークに接続されたプロセッサとを含み得る。通信装置は、受信者３９に位置情報を送信するトランシーバ１２であるか、トランシーバ１２若しくはサーバ１６から位置情報を受信するレシーバ又はトランシーバ１４であり得る。或いは、通信装置はサーバ１６自体であり得る。３つの装置全て、又は通信装置１２，１４，１６のうちの任意の２つは、通信ネットワークを形成することが可能である。サーバはトランシーバ１２から装置１４へ位置情報を中継すること、又は位置情報自体を発し、その位置情報を装置１４に送信することが可能である。さらに、システム１０は、１より多くの粒度のレベルを有する位置情報を取得するようにプログラム可能であり、選択呼出レシーバにおける受信者の１つ以上の位置関連特性に基づき、通信装置における位置情報の粒度のレベルを自動的に又は動的にスコーピングする、即ち、調整するプロセッサを含む。なお、上述のスコーピング機能を実行するプロセッサ２２，２８，又は３２は、それぞれ装置１２，１４，又は１６のうちのいずれに存在してもよい。換言すると、スコーピングは、送信装置、受信装置、又はサーバなどの中間装置のうちのいずれにおいても実行され得る。通信装置は、位置情報を有し受信者についての情報を知っているトランシーバ１２など、発信装置であってもよく、これに代えて、通信装置は受信者３９の選択呼出レシーバ又はトランシーバ１４であってもよい。
【００１０】
トランシーバ又は送信若しくは発信装置１２の場合、位置データ２０は、受信者３９及び装置１４のうちの少なくとも一方についての位置データを、市外局番若しくは位置を表す他の情報など宛先アドレス、又は受信者３９の望む位置情報の所望の粒度を含む様々な形態により含むことが可能である。また、装置１２における位置情報２０は、ＧＰＳレシーバ２４、又は装置１４における他の位置決定回路によって決定され、装置１２にて受信される（装置１４から直接、又はサーバ１６を介して）特定の座標を含み得る。また、以下でさらに明らかとなるように、位置情報２０は、装置１２と装置１４との間の相対距離を決定し、スコーピング調整を行うのを補助するために用いられ得る、装置１２におけるＧＰＳレシーバ１８からのＧＰＳ情報を含み得る。
【００１１】
また、レシーバ又はトランシーバ１４における位置データ２６は、受信者３９及び装置１４のうちの少なくとも一方についての位置データを、市外局番若しくは位置を表す他の情報など自身のアドレス、又は受信者３９の望む位置情報の所望の粒度を含む様々な形態により含むことが可能である。この点に関して、プロセッサ２８は受信者が位置情報のスコープを選択することを可能とするか、又は選択呼出レシーバ（１４）が自身について有する情報に基づき選択呼出レシーバが位置情報のスコープを選択することを可能とする。例として、位置情報２６は、基地局サーバ（１６）若しくはセルラーシステムにおけるセルサイトから受信され得る識別コードなどのデータ、又はローカルＧＰＳレシーバ２４によるＧＰＳ情報から、自動的に取得され得る。或いは、位置情報２６は受信者（３９）ユーザによってユーザ指定され得る。より詳細な一例では、受信者がよく知っている都市若しくは他の特定地域（おそらくは、特定の地域において費やされた時間、又は他の基準に基づき）のリストを受信者が作成するか、又は装置１４が自動的に作成することが可能である。その例では、プロセッサ２８は、この位置リストを用いて、送信者（１２）と受信者３９との間の距離に関わらず、受信者が見ることを望み得る粒度のレベルを決定することが可能である。また、位置情報２６は、受信者３９による習慣及び入力を追跡することによって収集される情報であり得る。別の例では、プロセッサは、受信者の電子住所録におけるアドレス又は装置１４のデータ記憶部における他の位置関連データを走査し、受信者が見ることを望み得る粒度のレベルに関して決定を行うことが可能である。ユーザ若しくは受信者３９がユーザ情報（又は他の情報）を入力しているか又は見ている場合、受信者は、ディスプレイ、照明インジケータ、スピーカ、音声合成エンジン、及び、以下に限定されないが、キーパッド、ボタン、マイクロホン、音声認識エンジンなどを含むユーザ入力装置を備え得る、ユーザインタフェース３０を利用することが可能である。
【００１２】
同様に、サーバ１６における位置データ３４は、受信者３９及び装置１４のうちの少なくとも一方についての位置データを、先に装置１２，１４に関して述べたような様々な形態により含むことが可能である。これに加えて、サーバは、受信者装置１４若しくは送信装置１２又はその両方に関する位置情報のデータベース３６を維持することも可能である。位置データ３４は、受信者装置１４に位置情報を送信するとき、位置スコーピングの決定を行うために、プロセッサ３２によって利用され得る。プロセッサ３２（又はプロセッサ２８若しくはプロセッサ２２）は、位置情報を含むメッセージの宛先アドレス、選択呼出レシーバの現在の位置、選択呼出レシーバの通常の位置のうちのいずれか、及びユーザ定義命令に基づき、位置情報の粒度のレベルを自動的に調整することが可能である。また、プロセッサ３２，２８，又は２２は、受信者による選択呼出レシーバの使用法から抽出されるユーザ情報に基づき、位置情報の粒度のレベルを自動的に調整することが可能である。また、プロセッサは、位置情報を含むメッセージの送信者に選択呼出レシーバが近付いていると判定されるとき、より多くの粒度を提供し、位置情報を含むメッセージの送信者から選択呼出レシーバが遠ざかっていると判定されるとき、より少ない粒度を提供することによって、自動的に調整することが可能である。さらに、プロセッサは、選択呼出レシーバ又は受信者装置１４において粒度のレベルが自動的に調整され、位置情報を表示するようにプログラムされ得る。ユーザ定義オプションを用いて、一実施形態では、受信者３９はレシーバが見ることを望むスコープを決定することが可能である。受信者の装置１４に特定の位置の全階層が送信され得るが、受信者の装置は、ユーザ嗜好、その位置、又は他の位置関連データに基づき、階層のうちのいずれの部分（スコープ）を表示するかを決定することが可能である。スコーピングがユーザ嗜好によって生じる場合、他の位置データを用いて自動的に生じる場合、或いは両方の組み合わせによって生じる場合にも、別のオプション機能は、さらに送信者に問い合せることなく、受信者がズームイン又はズームアウトを行って、より細かい又はより粗い解像度、即ち、粒度を得ることを可能とする。
【００１３】
例えば、市販のホームランドセキュリティ電話機を用いて状態メッセージにより位置情報を送信するとき、メッセージの受信者についての情報が考慮され、それにしたがって、送信者の位置情報のスコープが調整され得る。受信者についての情報は、送信者が位置する地域のことを受信者がよく知っている見込みはどの程度であるかを示すものであり得る。この情報は、例えば、メッセージの宛先アドレス、受信者の現在の位置、受信者の通常の位置、受信者の通常の範囲、又はユーザ定義若しくは学習熟知情報（ユーザは自身がよく知っている地域を入力することが可能であるか、或いはプログラムがユーザの以前の行動からそうした情報を学習し得る）に基づき得る。
【００１４】
位置ベースの方法では、受信者が遠ざかるほど、その受信者へ送信される位置情報は特定的でなくなる。状態メッセージに含まれる位置情報のスコープは、受信者が送信者の位置からどれほど遠くに離れているかに応じて動的に変化する。また、受信者の市外局番及び現在の位置も、スコーピングを推進するために用いられ得る。受信者の市外局番が送信者の位置とマッチする場合、受信者がその地域に関する知識を有すると仮定しても安全であろうから、特定的なメッセージが表示され得る。このアルゴリズムがマッチを見出せない場合、より広範な詳細又はより粒度の少ないレベルへ情況に従いズームアウトする「それはどこか」ボタンが追加され得る（例えば、ユーザインタフェース３０に）。
【００１５】
より特定的な一例では、旅行者が１人でシカゴに行き、フォート・ローダーデ−ルにおいて自身の妻に「私は大丈夫」のメッセージを送信する場合、「私は大丈夫、シカゴ地域にて」は受け入れられる見込みがある。これに代えて、１０代の者が両親とともにシカゴへ旅行している場合、両親はおそらく、「私は大丈夫、ガーニー・ミル（Ｇｕｒｎｅｅ  Ｍｉｌｌ）・モールにて」など、より特定的な情報を望む見込みがある。この例では、送信者の特定のローカル地域の概念を有しない（又は関心を有しない）受信者には、位置情報に基づき動的な手法により、それらの受信者に対し最も意味を有するメッセージが提示され得る。これによってメッセージはより有用となるため、より大きな安心感と、心の平安とが生じる。
【００１６】
図２を参照すると、位置情報のスコーピングに基づく受信者の方法４０を示すフローチャートが示されている。方法４０は、１つ以上の受信者特性と、その位置に対する関係とに基づき、位置に関連する情報を動的にスコーピングする工程４２を含み得る。動的にスコーピングする工程は、位置に関連する情報に含まれる位置説明（文字説明など）を選択する工程４４を含み得る。なお、動的にスコーピングする工程は、送信装置、受信装置、及び中間装置のうちの１つにて位置に関連する情報をスコーピングする工程４６を含み得る。例えば、送信装置はセルラー電話機であり、受信装置はパーソナルコンピュータであり、中間装置はメッセージングサーバであり得る。この例では、セルラー電話機は、位置に関連する情報を送信する前に、その情報をスコーピングすることが可能であり、パーソナルコンピュータは、位置に関連する情報を受信した後、及びその情報をユーザに提示する前に、その情報をスコーピングすることが可能であり、或いは、メッセージングサーバは、位置に関連する情報を受信した後、及びその情報をパーソナルコンピュータに転送する前に、その情報をスコーピングすることが可能である。また、受信者特性は、受信者の現在の位置、受信者の以前の位置、受信者の選択呼出アドレス（例えば、電話番号の市外局番）、受信者の連絡情報（例えば、受信者の自宅アドレス）、ユーザによって記憶された又はユーザの装置上に記憶されたパーソナライズされた目標物（ｌａｎｄｍａｒｋ）を含むユーザ情報、ユーザのズーム情報の履歴（例えば、近くの位置においてユーザが手動でどのように位置情報をスコーピングしたか）、送信者による手動選択、及び受信者による手動選択のうちのいずれであってもよい。また、工程４８におけるスコーピングは、次のうちの１つ以上を実行することによる受信装置によるスコーピングを含み得る。ａ）絶対位置を受信し、受信装置における資源を用いて説明を選択すること、ｂ）絶対位置を受信し、送信者の最良の推測を用いて説明を選択すること、及び、ｃ）説明のリストを受信し、リストのうちの説明を選択すること。また、スコーピングは、受信者がその地域をよく知っている見込みがあるか又は詳細情報を望む見込みがあるときには近くのより小さな都市の名前を含む位置説明を選択し、受信者がその地域をよく知っている見込みがないか又は詳細情報を望む見込みがないときには近くのより大きな都市の名前を含む位置説明を選択することにより、送信装置（図示せず）によっても実行され得る。これに加えて、送信装置は、位置関連情報に地図若しくは航空画像（ａｅｒｉａｌ  ｉｍａｇｅ）又は地図若しくは航空画像へのハイパーリンクを含んでもよい。ここで、地図又は航空画像のズームレベルは、受信者がその地域をよく知っていること又はさらなる詳細を望むことの見込みに基づき、送信装置によって選択される。
【００１７】
図３を参照すると、位置情報のスコーピングに基づく受信者の方法５０を示す別のフローチャートが示されている。方法５０は、選択呼出レシーバにて位置情報（リモート装置からのものなど）を受信する工程５２と、選択呼出レシーバにおける受信者の位置関連特性に基づき、位置情報の粒度のレベルを自動的に又は動的にスコーピングする、即ち、調整する工程５４とを含み得る。なお、スコーピング機能は（上述のように）送信装置、受信装置、又は中間装置（サーバなど）にて実行され得るので、位置情報のスコーピング又は調整は、選択呼出レシーバにおける位置情報の受信の前又は後に行われ得るため、上述の工程の順序は必須ではない。また、位置情報は１より多くの粒度のレベルを有し得る。粒度のレベルの調整は、位置情報を含むメッセージの宛先アドレス（例えば、市外局番）、選択呼出レシーバの現在の位置、選択呼出レシーバの以前の位置、選択呼出レシーバにおいて記憶された連絡情報（例えば、連絡のうちの高い割合が特定位置に位置する場合、ユーザはその特定位置をよく知っていると考えられる）、ユーザによって記憶されたパーソナライズされた目標物を含み得るユーザ情報、ズーム情報の履歴（例えば、ユーザが過去に近くの位置をどのように見たか）、及びユーザ定義又は手動の命令（送信者又は受信者による）のうちの１つ以上に基づく、工程５６における粒度のレベルの調整が含まれ得る。調整する工程は、さらに、選択呼出レシーバの使用法から抽出されるユーザ情報に基づき、位置情報の粒度のレベルを調整する工程５８を含み得る。また、調整する工程は、工程６０にて、位置情報を含むメッセージの送信者に選択呼出レシーバが近付いていると判定されるとき、より多くの粒度を提供し、位置情報を含むメッセージの送信者から選択呼出レシーバが遠ざかっていると判定されるとき、より少ない粒度を提供することを含み得る。また、スコーピングは、単に受信された位置情報に含まれる位置説明を選択することによっても達成され得る。なお、選択呼出レシーバによるスコーピングは他の例においても同様になされ得る。例えば、受信者が絶対位置（例えば、緯度及び経度）のみを受信するとき、選択呼出レシーバは自身の資源（ユーザによって記憶された個人の目標物）を用いて説明を選択することが可能である。別の例では、受信者が絶対位置と、送信者の最良の推定の形態による説明とを受信するとき、同様にスコーピングが行われ得る。さらに別の代替案では、受信者は説明のリストを得て、それにしたがって上述の手法を用いて位置情報をスコーピングする。さらに、方法５０は、自動的に調整された粒度のレベルにより位置情報を表示する工程６２を含み得る。
【００１８】
上述のように、方法５０は、位置情報の動的なスコーピングを提供することの可能な幾つかの装置により実現され得る。送信又は発信装置（１２）において、装置１２が受信者及びその装置１４のうちの少なくとも一方についての情報を知っている場合、送信装置１２は受信者について知られている知識に基づき、送信されたメッセージのスコープを調整することが可能である。受信者の装置１４では、そうした装置は、自身について有する情報に基づき自身がユーザに提示する受信位置情報のスコープを選択することが可能である。メッセージ送信サーバなど中間装置（１６）では、メッセージにおける位置情報は、受信者について自身が有する情報に基づき中間装置１６によって変換され得る。
【００１９】
上述に照らし、本発明による実施形態は、ハードウェア、ソフトウェア、又はハードウェア及びソフトウェアの組み合わせにより実現され得ることが認識される。本発明によるネットワーク又はシステムは、１つのコンピュータシステム若しくはプロセッサによって集中的に、又は異なる要素が幾つかの相互接続されたコンピュータシステム若しくはプロセッサ（マイクロプロセッサ及びＤＳＰなど）に分散されて分散的に実現され得る。任意の種類のコンピュータシステム、又は本明細書に記載の機能の実行に適合された他の装置が適切である。ハードウェア及びソフトウェアの典型的な組み合わせは、ロードされて実行されるとき、本明細書に記載の機能を実行するようにコンピュータシステムを制御するコンピュータプログラムを有する、汎用コンピュータシステムであり得る。
【００２０】
また、上述に照らし、本発明による実施形態は、クレームの範囲及び精神のうちにあると想定される多数の構成により実現され得ることが認識される。例えば、本明細書の実施形態において示されるように、文字の位置情報が主要な焦点であるが、他の実施形態は文字メッセージに限定される必要はなく、地図画像など図の形態による位置情報を含むことが可能であり、地図画像のズームレベルは受信者の位置関連情報に基づき調整され得る。これに加えて、上述の記載は例としてのみ意図され、添付のクレームにおいて述べられる以外、如何様にも本発明を限定するように意図されない。
【図面の簡単な説明】
【００２１】
【図１】本発明による通信システムのブロック図。
【図２】本発明の一実施形態による位置情報のスコーピングに基づく受信者の方法を示すフローチャート。
【図３】本発明の別の実施形態による位置情報のスコーピングに基づく受信者の方法を示すフローチャート。
【図１】
2008522549.tif 000003
【図２】
2008522549.tif 000004
【図３】
2008522549.tif 000005
【国際調査報告】
2008522549.tif 000006